(57)【特許請求の範囲】
【請求項１】
被検者に向けてＸ線を照射するＸ線管と、前記Ｘ線管から照射され前記被検者を通過したＸ線を検出するＸ線検出部と、前記Ｘ線管と前記被検者との間に配設された複数のコリメータリーフを備え、前記Ｘ線管から前記被検者に向けて照射されるＸ線照射野を形成するコリメータと、を備えたＸ線撮影装置において、
前記コリメータリーフの開度を検出する開度検出器と、
光学センサと、画像を前記光学センサに集光するレンズ系とを備え、前記Ｘ線管および前記コリメータとともに移動するカメラと、
前記カメラにより撮影した前記被検者の画像を表示する表示部と、
前記カメラにおける前記光学センサと前記レンズ系との配置と、前記Ｘ線管と前記コリメータリーフとの配置と、前記開度検出器により検出したコリメータリーフの開度とに基づいて、前記表示部に表示される前記被検者の画像におけるＸ線照射野の範囲を演算する照射野演算部と、
前記照射野演算部により演算したＸ線照射野の範囲を表す画像を、前記表示部に表示する照射野表示部と、
を備え、
前記カメラの前記レンズ系と前記被検者との距離と、前記Ｘ線管の焦点と前記被検者との距離は実質的に同一であり、
前記光学センサにおける撮像範囲をＰ、前記光学センサと前記レンズ系との距離をＱ、前記カメラによる前記被検者の撮影範囲をＳ、前記Ｘ線管の焦点と前記コリメータリーフとの距離をＴ、前記コリメータリーフの開度をＵ、としたときに、前記照射野演算部は、Ｘ線照射野Ｒを下記の式により演算することを特徴とするＸ線撮影装置。
Ｒ＝（Ｓ×Ｕ×Ｑ）／（Ｔ×Ｐ）
【請求項２】
請求項１に記載のＸ線撮影装置において、
前記照射野表示部は、前記Ｘ線照射野の範囲を表す画像を、前記表示部に表示される被検者の画像と重ね合わせて表示するＸ線撮影装置。
【請求項３】
請求項１または請求項２に記載のＸ線撮影装置において、
前記コリメータにおける前記コリメータリーフを移動させるためのモータを備えたコリメータリーフ移動機構と、
前記表示部と、前記コリメータリーフ移動機構を操作するための操作部とを有し、Ｘ線撮影が行われる撮影室とは別に設けられた操作室に配設されるコンソール部と、
をさらに備えるＸ線撮影装置。
【発明の詳細な説明】
【技術分野】
【０００１】
この発明は、被検者に向けてＸ線を照射するＸ線管と、Ｘ線管から照射され被検者を通過したＸ線を検出するＸ線検出部と、Ｘ線管と被検者との間に配設された複数のコリメータリーフを備え、Ｘ線管から被検者に向けて照射されるＸ線照射野を形成するコリメータと、を備えたＸ線撮影装置に関する。
【背景技術】
【０００２】
このようなＸ線撮影装置においては、Ｘ線管から被検者に向けて照射されるＸ線の範囲であるＸ線照射野を設定するために、コリメータリーフの位置を調整する必要がある。このような場合において、実際にＸ線管からＸ線を照射することでコリメータリーフの位置を調整したのでは、被検者に対する被曝量が増加する。このため、このようなＸ線撮影装置においては、コリメータリーフを移動させてＸ線管から被検者に向けて照射されるＸ線照射野を調整するときには、コリメータ機構に対し患者とは逆側に配設されたコリメータランプを点灯させることにより可視光の照射野を形成し、可視光の照射野を視認することでコリメータ機構により形成されるＸ線照射野を確認している。
【０００３】
このようなコリメータランプを使用したＸ線照射野の調整機構は、被検者に対するＸ線の被曝量を増加させることなくＸ線照射野を調整し得るものではあるが、ランプによる発熱の問題や、ランプを一定期間ごとに交換する必要があるという問題があるばかりではなく、可視光の照射野の範囲が不明確であることから、Ｘ線照射野を正確に設定することは困難であり、また、その調整に時間がかかるという問題がある。
【０００４】
特許文献１には、コリメータの内部にミラーを配設するとともに、コリメータ内部のＸ線管の焦点と共役となる位置にカメラを配置し、このカメラの光軸とＸ線管からのＸ線の照射軸とを一致させるようにしたＸ線撮影装置が開示されている。この特許文献１に記載されたＸ線撮影装置においては、カメラによりＸ線照射野を撮影して映像データを取得し、これを表示部に表示することにより、コリメータランプを使用することなくＸ線照射野を確認しうる構成となっている。そして、この特許文献１に記載されたＸ線撮影装置においては、オートフォーカス機構を利用することにより、Ｘ線管の焦点と被検者の表面との距離であるＳＯＤ（Ｓｏｕｒｃｅ  Ｏｂｊｅｃｔ  Ｄｉｓｔａｎｃｅ）を測定するようにしている。
【先行技術文献】
【特許文献】
【０００５】
【特許文献１】特開平６−２１７９７３号公報
【発明の概要】
【発明が解決しようとする課題】
【０００６】
このようなＸ線撮影装置においては、Ｘ線の撮影部は撮影室に配置されており、Ｘ線照射野の調整（サイズの変更と位置の変更）は撮影室で行われるが、実際のＸ線撮影のための撮影操作は、撮影室とは別に設けられた操作室内で実行される。このため、上述したコリメータランプを使用したＸ線照射野の調整機構を使用した場合には、Ｘ線照射野の調整を行った後、オペレータが撮影室から操作室に移動する間に被検者が動いてしまう場合がある。このような場合には、適切なＸ線撮影を実行し得ず、再度の撮影により被検者への被曝量が増加することになる。
【０００７】
また、Ｘ線照射野の調整を撮影室とは別に設けられた操作室内で実行する場合がある。この場合においては、可視光の照射野を調整するためのコリメータリーフの開閉もしくはコリメータの移動は、操作室内に設置された操作部を用いて行われる。このときにも、上述したコリメータランプを使用したＸ線照射野の調整機構を使用した場合には、オペレータは、操作室と撮影室の間に設けられた鉛ガラス窓を介して被検者に照射された可視光の範囲を目視で確認し、コリメータリーフの開閉操作もしくはコリメータの移動操作を実行している。しかしながら、鉛ガラス窓の大きさはさほど大きくないこともあり、鉛ガラス窓越しに可視光の照射野を確認する作業は視認性がよいとは言えない。このため、可視光の照射野の調整は作業効率が悪く、可視光の照射野を正確に調整できない場合もある。このような場合においても、適切なＸ線撮影を実行し得ず、再度の撮影により被検者への被曝量が増加することになる。
【０００８】
特許文献１に記載されたように、コリメータ内部のＸ線管の焦点と共役となる位置にカメラを配置し、このカメラにより取得した映像データを操作室に配設した表示部に表示することで、上述した問題を解決しようとすることも考えられる。その場合、特許文献１に記載されるように、カメラにより取得した画像で確認できるのはＸ線照射野だけである。しかしながら、撮影領域を決定するときには、Ｘ線照射野だけでなく、その周辺の情報も必要となる。例えば、Ｘ線照射野を絞っていくとき、すなわちＸ線照射野のサイズを小さくしていくとき、カメラで取得した画像が被検者の衣服または皮膚のみであれば、Ｘ線照射野のサイズが適切であるのかどうか判断できない。同様に、Ｘ線照射野を絞った状態で移動させるときにも、Ｘ線照射野の画像だけでは不十分であり、Ｘ線照射野を適切に動かすことはできない。すなわち、特許文献１に記載のＸ線撮影装置を使用した場合においても、Ｘ線照射野の調整（サイズの変更と位置の変更）を適切に実行することは困難となる。
【０００９】
なお、特許文献１の図１７に示された第６実施例においては、予め撮影した被検者の画像と、絞り開度検出部により検出したコリメータリーフの開度に対応した絞り枠とを、合成した上で表示部に表示する構成が開示されている。この特許文献１の第６実施例に記載された構成は、被検者におけるＸ線照射野の外部の画像も表示することは可能ではあるが、その被検者の画像はリアルタイムの画像ではないことから、この画像に基づいてＸ線照射野が正しく設置されているか否かを判断することはできない。
【００１０】
また、特許文献１に記載されたように、コリメータ内部のＸ線管の焦点と共役となる位置にカメラを配設し、このカメラの光軸とＸ線管からのＸ線の照射軸とを一致させる構成を採用した場合には、コリメータが大型化するだけではなく、その軸合わせが煩雑なものとなる。このため、Ｘ線照射部の構造が複雑なものとなり、製造コストが高額になるという問題が生ずる。
【００１１】
さらに、特許文献１に記載のＸ線撮影装置においては、オートフォーカス部で測定された値を用いてＸ線管の焦点と被検者の表面との距離であるＳＯＤ等の値を演算し、その演算結果に基づいてモニター上に表示されるＸ線照射野の大きさを算出している。しかしながら、取得した画像が比較的均質な被検者の衣服または皮膚のみである場合には、オートフォーカスのみでは、Ｘ線管の焦点と被検者の表面との距離であるＳＯＤ等の値の演算を正確に実行することができないという問題が生ずる。
【００１２】
この発明は上記課題を解決するためになされたものであり、簡易な構成でありながら、コリメータランプを使用しない場合においても、Ｘ線照射野を表す画像を表示部に表示することが可能なＸ線撮影装置を提供することを目的とする。
【課題を解決するための手段】
【００１３】
請求項１に記載の発明は、被検者に向けてＸ線を照射するＸ線管と、前記Ｘ線管から照射され前記被検者を通過したＸ線を検出するＸ線検出部と、前記Ｘ線管と前記被検者との間に配設された複数のコリメータリーフを備え、前記Ｘ線管から前記被検者に向けて照射されるＸ線照射野を形成するコリメータと、を備えたＸ線撮影装置において、前記コリメータリーフの開度を検出する開度検出器と、光学センサと、画像を前記光学センサに集光するレンズ系とを備え、前記Ｘ線管および前記コリメータとともに移動するカメラと、前記カメラにより撮影した前記被検者の画像を表示する表示部と、前記カメラにおける前記光学センサと前記レンズ系との配置と、前記Ｘ線管と前記コリメータリーフとの配置と、前記開度検出器により検出したコリメータリーフの開度とに基づいて、前記表示部に表示される前記被検者の画像におけるＸ線照射野の範囲を演算する照射野演算部と、前記照射野演算部により演算したＸ線照射野の範囲を表す画像を、前記表示部に表示する照射野表示部と、を備え、 前記カメラの前記レンズ系と前記被検者との距離と、前記Ｘ線管の焦点と前記被検者との距離は実質的に同一であり、前記光学センサにおける撮像範囲をＰ、前記光学センサと前記レンズ系との距離をＱ、前記カメラによる前記被検者の撮影範囲をＳ、前記Ｘ線管の焦点と前記コリメータリーフとの距離をＴ、前記コリメータリーフの開度をＵ、としたときに、前記照射野演算部は、Ｘ線照射野Ｒを下記の式により演算することを特徴とする。
Ｒ＝（Ｓ×Ｕ×Ｑ）／（Ｔ×Ｐ）
【００１４】
請求項２に記載の発明は、請求項１に記載の発明において、前記照射野表示部は、前記Ｘ線照射野の範囲を表す画像を、前記表示部に表示される被検者の画像と重ね合わせて表示する。
【００１５】
請求項３に記載の発明は、請求項１または請求項２に記載の発明において、前記コリメータにおける前記コリメータリーフを移動させるためのモータを備えたコリメータリーフ移動機構と、前記表示部と、前記コリメータリーフ移動機構を操作するための操作部とを有し、Ｘ線撮影が行われる撮影室とは別に設けられた操作室に配設されるコンソール部と、をさらに備える。
【発明の効果】
【００１６】
請求項１に記載の発明によれば、簡易な構成でありながら、コリメータランプを使用しない場合においても、Ｘ線照射野の範囲を表す画像を表示部に表示することが可能となる。このとき、カメラにおける光学センサとレンズとの配置と、Ｘ線管とコリメータリーフとの配置と、コリメータリーフの開度とに基づいてＸ線照射野の範囲を演算することから、Ｘ線管の焦点と被検者の表面との距離を測定することなくＸ線照射野の範囲を表す画像を表示部に表示することが可能となる。
【００１７】
請求項２に記載の発明によれば、Ｘ線照射野の範囲を表す画像を表示部に表示される被検者の画像と重ね合わせて表示することから、Ｘ線照射野をその周囲の情報とともに認識することが可能となる。
【００１８】
請求項３に記載の発明によれば、操作室内においてコリメータリーフの開度を操作する場合においても、操作室内においてＸ線照射野を、被検者の画像とともに確認することが可能となる。
【図面の簡単な説明】
【００１９】
【図１】この発明に係るＸ線撮影装置の概要図である。
【図２】この発明に係るＸ線撮影装置における検診台３および撮影部４の斜視図である。
【図３】この発明に係るＸ線撮影装置の主要な制御系を示すブロック図である。
【図４】高電圧装置２の概要図である。
【図５】コリメータ４３におけるコリメータリーフ４０を模式的に示す斜視図である。
【図６】操作部４１の正面図である。
【図７】Ｘ線管４２の焦点１０とコリメータ４３のコリメータリーフ４０とを含む装置の配置関係を示す説明図である。
【図８】カメラ４９のレンズ系５２と光学センサ５１とを含む装置の配置関係を示す説明図である。
【図９】カメラ４９とコリメータ４３のコリメータリーフ４０とを含む装置の配置関係を示す説明図である。
【図１０】表示部１１、４６に表示される被検者２０の画像を示す概要図である。
【図１１】表示部１１、４６に表示される被検者２０の画像の他の実施形態を示す概要図である。
【発明を実施するための形態】
【００２０】
以下、この発明の実施の形態を図面に基づいて説明する。図１は、この発明に係るＸ線撮影装置の概要図である。また、図２は、この発明に係るＸ線撮影装置における検診台３および撮影部４の斜視図である。さらに、図３は、この発明に係るＸ線撮影装置の主要な制御系を示すブロック図である。
【００２１】
この発明に係るＸ線撮影装置は、オペレータがＸ線撮影操作を実行するための操作室１０１に設置されたコンソール部１および高電圧装置２と、被検者２０に対して撮影を行うための撮影室１００に設置された検診台３および撮影部４とを備える。撮影室１００と操作室１０１とは、隔壁１０２により遮断されている。
【００２２】
操作室１０１に設置されたコンソール部１は、液晶表示器等から構成される表示部１１と、各種の操作を実行するためのキーボードやマウス等からなる操作部１２とを備える。表示部１１には、Ｘ線撮影画像と、後述するカメラ４９により撮影した被検者２０の画像とが表示される。このコンソール部１は、図３に示す制御部１３により制御される。この制御部１３は、後述する照射野演算部１４と照射野表示部１５とを備える。また、このコンソール部１は、図３に示すように、病院内の被検者管理システムの院内通信である院内ネットワーク１０３と接続されている。
【００２３】
図４は、高電圧装置２の概要図である。
【００２４】
この高電圧装置２は、操作室１０１内において隔壁１０２に配設される。図３および図４に示すように、高電圧装置２は、タッチパネル式の液晶表示器から構成される表示部２２と入力ボタン２４と有する操作パネル２１と、Ｘ線管４２からのＸ線の照射を開始するためのスイッチ２３とを備える。この高電圧装置２は、Ｘ線管４２の管電圧や管電流、あるいは、Ｘ線照射時間等のＸ線の照射条件を設定するためのものである。この高電圧装置２は、図３に示す制御部２５により制御される。
【００２５】
再度、図１から図３を参照して、検診台３は、被検者２０を載置する天板３１と、内部にＸ線検出機としてのフラットパネルディテクタ（ＦＰＤ）３８（図３参照）を収納したＸ線検出部３３と、天板３１およびＸ線検出部３３を昇降するための昇降部３４とを備える。Ｘ線検出部３３は、図２に示すＧ方向に水平移動可能となっている。また、Ｘ線検出部３３は、天板３１とともに、図２に示すＦ方向に昇降可能となっている。この検診台３は、図３に示す制御部３９により制御される。
【００２６】
なお、この実施形態においては、天板３１上の被検者２０を臥位状態で撮影するテーブル式の検診台３を採用しており、Ｘ線検出部３３が図２に示すＧ方向に水平移動する構成となっている。これに対して、被検者２０を立位状態で撮影するスタンド式の撮影台を使用した場合には、Ｘ線検出部３３は昇降することになる。
【００２７】
撮影部４は、図２に示すように、撮影室１００の天井に対して互いに直交するＡ方向およびＢ方向に移動可能な基部６１と、この基部６１から下方に延びる支持部６２と、この支持部６２に対してＣ方向に昇降するともに、Ｄ方向に回動する移動部６３と、この移動部６３の下端部に軸支され、操作部４１、Ｘ線管４２およびコリメータ４３を一体としてＥ方向に回動させる支持軸６４とを備える。このため、操作部４１、Ｘ線管４２およびコリメータ４３は、Ａ、Ｂ、Ｃ、Ｄ、Ｅ方向に移動可能となっている。この撮影部４は、図３に示す制御部４８により制御される。
【００２８】
図１および図２では図示を省略しているが、この撮影部４には、被検者２０の画像を撮影するためのカメラ４９が付設されている。このカメラ４９は、Ｘ線管４２およびコリメータ４３とともに移動して、被検者２０の画像を撮影する。このカメラ４９は、後述するように、このカメラ４９におけるレンズ系５２と被検者２０との距離と、コリメータ４３におけるコリメータリーフ４０（後述する図５および図７参照）と被検者２０との距離とが実質的に同一となる位置において、Ｘ線管４２またはコリメータ４３に付設されている。
【００２９】
図５は、上述したコリメータ４３におけるコリメータリーフ４０を模式的に示す斜視図である。
【００３０】
上述したコリメータ４３は、４枚のコリメータリーフ４０を備える。Ｘ線管４２の焦点１０から照射されたＸ線は、その一部がこれら４枚のコリメータリーフ４０により遮断されることにより、矩形状のＸ線照射野Ｒを形成する。なお、これらのコリメータリーフ４０は、図３に示すモータ５８の駆動により水平移動する。そして、コリメータリーフ４０の開度は、図３に示す開度検出器５９により検出される。この開度検出器５９としては、エンコーダやポテンショメータ等が使用される。但し、ステッピングモータ等を使用する場合には、モータ５８の駆動部を開度検出器５９として利用し、モータ５８への駆動信号によりコリメータリーフ４０の開度を検出してもよい。
【００３１】
図６は、撮影部４における操作部４１の正面図である。
【００３２】
この操作部４１は、Ｘ線管４２をコリメータ４３やカメラ４９とともに移動させるためのハンドル４５と、操作パネル４４とから構成される。操作パネル４４の中央部には、タッチパネル式の液晶表示器から構成される表示部４６が配設されている。また、この表示部４６の周囲には、複数のボタン５３が配設されている。なお、表示部４６には、カメラ４９により撮影した被検者２０の画像も表示される。
【００３３】
図７は、Ｘ線管４２の焦点１０とコリメータ４３のコリメータリーフ４０とを含む装置の配置関係を示す説明図である。
【００３４】
この図に示すように、Ｘ線管４２の焦点１０と被検者２０の表面（Ｘ線照射野Ｒ）との距離であるＳＯＤがＬであり、Ｘ線管４２の焦点１０とコリメータ４３におけるコリメータリーフ４０との距離がＴであり、コリメータリーフ４０間の距離（コリメータリーフ４０の開度）がＵであった場合、Ｘ線照射野Ｒ一辺の長さは図７において矢印Ｒで示す大きさとなる。
【００３５】
図８は、カメラ４９のレンズ系５２と光学センサ５１とを含む装置の配置関係を示す説明図である。
【００３６】
上述したカメラ４９は、ＣＣＤやＣＭＯＳ等の撮像素子からなる光学センサ５１と、画像をこの光学センサ５１に集光するレンズ系５２とを備える。この図においては、レンズ系５２を単一のレンズとして表現しているが、このレンズ系５２は、複数のレンズより構成されることがある。この図に示すように、レンズ系５２と光学センサ５１との距離（焦点距離）は、Ｑとなっている。また、このときのカメラ４９による撮影領域はＳであり、レンズ系５２と被検者２０の表面との距離はＭとなる。なお、この図に示すように、［Ｐ／Ｑ］の値と［Ｓ／Ｍ］の値は互いに等しく、この値については、画角としてカメラメーカにより各種のカメラの仕様として公表されている。
【００３７】
図９は、カメラ４９とコリメータ４３のコリメータリーフ４０とを含む装置の配置関係を示す説明図である。
【００３８】
この図に示すように、カメラ４９のレンズ系５２と被検者２０との距離Ｍと、Ｘ線管４２の焦点１０と被検者２０との距離Ｌが実質的に同一となるように、カメラ４９が配置されている。すなわち、図７に示す距離Ｌと図８に示す距離Ｍとは、実質的に同一となっている。なお、カメラ４９はＸ線管４２の内部に配置されるのではなく、Ｘ線管４２を備えた撮影部４に付設されている。このため、カメラ４９のレンズ系５２と被検者２０との距離と、Ｘ線管４２の焦点１０と被検者２０との距離とを完全に同一とすることは不可能であり、一定の誤差が生ずる。しかしながら、カメラ４９のレンズ系５２と被検者２０との距離Ｍや、Ｘ線管４２の焦点１０と被検者２０との距離Ｌが，この誤差に対して十分大きい場合には、この誤差は無視し得るものとなる。
【００３９】
このような配置関係において、図７に示すように、Ｕ／Ｔ＝Ｒ／Ｌであり、Ｌ＝Ｔ×Ｒ／Ｕとなる。一方、図８に示すように、Ｐ／Ｑ＝Ｓ／Ｍであり、Ｍ＝Ｑ×Ｓ／Ｐとなる。そして、Ｌ＝Ｍとすると、下記の式（１）が成立する。
Ｒ＝（Ｓ×Ｕ×Ｑ）／（Ｔ×Ｐ）  ・・・  （１）
【００４０】
次に、以上のような構成を有するＸ線撮影装置において、コンソール部１の表示部１１と操作部４１の表示部４６に表示される被検者２０の画像とともに、Ｘ線照射野Ｒの範囲を示す画像を表示する、この発明の特徴的動作について説明する。
【００４１】
このＸ線撮影装置によりＸ線撮影またはＸ線透視を実行するためにＸ線照射野Ｒを調整するときには、最初に、被検者２０を撮影室１００に入れ、検診台３の天板３１上に載置する。そして、撮影部４のカメラ４９を利用して被検者２０を撮影する。カメラ４９により撮影された被検者２０の画像は、撮影部４における操作部４１の表示部４６と、コンソール部１における表示部１１とに表示される。
【００４２】
次に、撮影部４における操作部４１を操作し、被検者２０に対してＸ線管４２およびコリメータ４３をカメラ４９とともに移動させることにより、Ｘ線照射野Ｒの位置を調整する。そして、この状態において、Ｘ線照射野Ｒを設定する。このときには、オペレータは、操作室１０１に移動して、操作部１２を操作することにより、図３に示すモータ５８の駆動でコリメータリーフ４０を移動させ、Ｘ線の照射野を調整してもよい。また、オペレータが撮影室１００において撮影部４の操作部４１を操作することにより、コリメータリーフ４０を移動させてＸ線照射野Ｒを調整してもよい。このときのコリメータリーフ４０の開度は、図３に示す開度検出器５９により検出される。
【００４３】
この状態において、コンソール部１における照射野演算部１４は、上述した式（１）に基づいて、カメラ４９による撮影領域Ｓに対するＸ線照射野Ｒのサイズを演算する。そして、コンソール部１における照射野表示部１５は、撮影部４における操作部４１の表示部４６とコンソール部１における表示部１１とに対して、Ｘ線照射野Ｒの範囲を表す画像を、表示部１１、４６に表示される被検者２０の画像と重ね合わせて表示する。
【００４４】
図１０は、表示部１１、４６に表示される被検者２０の画像を示す概要図である。
【００４５】
この図に示すように、表示部１１、４６に表示された画像には、Ｘ線照射野Ｒの範囲を示す画像が、矩形状の線画として、被検者２０の画像と重ね合わせて表示される。このため、オペレータは、被検者２０に対するＸ線照射野Ｒを、その周囲の画像とともに認識することが可能となる。これにより、Ｘ線照射野Ｒを、Ｘ線撮影またはＸ線透視によって診断したい部位のサイズに簡単に合わせることが可能となる。
【００４６】
そして、オペレータは、操作室１０１に移動した後においても、コンソール部１における表示部１１を確認することにより、被検者２０が移動していないかの確認とともに、Ｘ線照射野Ｒが適切であるか確認することができる。そして、必要に応じ、操作部１２を操作して、Ｘ線照射野Ｒを調整する。このときにも、コンソール部１における表示部１１には、Ｘ線照射野Ｒの範囲を表す画像が被検者２０の画像と重ね合わせて表示されていることから、Ｘ線照射野Ｒの調整を容易に実行することができる。
【００４７】
Ｘ線照射野Ｒの調整が終了すれば、オペレータは操作室１０１において高電圧装置２のスイッチ２３を操作して、Ｘ線撮影またはＸ線透視を実行する。
【００４８】
図１１は、表示部１１、４６に表示される被検者２０の画像の他の実施形態を示す概要図である。
【００４９】
図１０に示す実施形態においては、Ｘ線照射野Ｒを表す画像として、Ｘ線照射野Ｒの範囲を表す画像を、矩形所の線画として、被検者２０の画像と重ね合わせて表示している。これに対して、図１１に示す実施形態においては、被検者２０におけるＸ線照射野Ｒ内の画像のみを、表示部１１、４６に表示する構成となっている。
【００５０】
なお、上述した実施形態においては、Ｘ線検出部３３において、Ｘ線を検出するためにフラットパネルディテクタ３８を使用しているが、フラットパネルディテクタ３８のかわりにイメージインテンシファイア（Ｉ．Ｉ．）を使用してもよい。また、Ｘ線検出器ではなく、フィルムを収納したカセッテ等を使用してもよい。
【００５１】
また、上述した実施形態においては、被検者２０の画像とＸ線照射野Ｒを表す画像とを、コンソール部１の表示部１１と操作部４１の表示部４６との両方に表示しているが、被検者２０の画像とＸ線照射野Ｒを表す画像とを、コンソール部１の表示部１１または操作部４１の表示部４６のいずれか一方のみに表示してもよい。また、Ｘ線画像を表示する表示部を有さないＸ線撮影装置の場合には、被検者２０の画像とＸ線照射野Ｒの範囲を表す画像を表示するための、専用の表示部を付設してもよい。
【符号の説明】
【００５２】
１      コンソール部
２      高電圧装置
３      検診台
４      撮影部
１０    焦点
１１    表示部
１２    操作部
２０    被検者
２１    操作パネル
２２    表示部
２３    スイッチ
２５    制御部
３１    天板
３３    Ｘ線検出部
３４    昇降部
３５    制御部
４０    コリメータリーフ
４１    操作部
４２    Ｘ線管
４３    コリメータ
４４    操作パネル
４５    ハンドル
４６    表示部
４８    制御部
４９    カメラ
５１    光学センサ
５２    レンズ系
５８    モータ
５９    開度検出器
１００  撮影室
１０１  操作室
１０３  院内ネットワーク
【図１】
0006277951.tif 000002
【図２】
0006277951.tif 000003
【図３】
0006277951.tif 000004
【図４】
0006277951.tif 000005
【図５】
0006277951.tif 000006
【図６】
0006277951.tif 000007
【図７】
0006277951.tif 000008
【図８】
0006277951.tif 000009
【図９】
0006277951.tif 000010
【図１０】
0006277951.tif 000011
【図１１】
0006277951.tif 000012